(57)【要約】  そのフィルタ媒体が逆洗浄相において特に有効かつ均一に浄化可能な、フィルタ媒体によって包囲されるフィルタカートリッジ内部空間を有する、流体を濾過するための逆洗浄フィルタ用のフィルタカートリッジを提供するために、フィルタカートリッジが、フィルタカートリッジ内部空間内に配置された逆洗浄流堰き止め体を有し、その逆洗浄流堰き止め体が、フィルタカートリッジの逆洗浄の際に逆洗浄流によってフィルタカートリッジの長手方向に移動可能であり、かつ逆洗浄流の動圧の局所的上昇を発生させ、その場合にフィルタカートリッジの逆洗浄の際に、逆洗浄流堰き止め体が、フィルタ媒体に添接しないことが、提案される。
2010501323.tif 000002
【特許請求の範囲】
【請求項１】
フィルタ媒体（１１４）によって包囲されたフィルタカートリッジ内部空間（１１０）と、フィルタカートリッジ内部空間（１１０）内に配置された逆洗浄流堰き止め体（１２０）とを有し、前記逆洗浄流堰き止め体は、フィルタカートリッジ（１０４）の逆洗浄の場合に逆洗浄流によってフィルタカートリッジ（１０４）の長手方向（１０６）に移動可能であり、かつ逆洗浄流の動圧の局所的な上昇を発生させ、
逆洗浄流堰き止め体（１２０）が、フィルタカートリッジ（１０４）の逆洗浄の場合にフィルタ媒体（１１４）に添接しない、
流体を濾過するための逆洗浄フィルタ（１００）用のフィルタカートリッジ。
【請求項２】
フィルタカートリッジ（１０４）の長手方向（１０６）に対して横方向における、逆洗浄流堰き止め体（１２０）の広がりが、フィルタカートリッジ（１０４）の長手方向（１０６）に対して横方向における、フィルタカートリッジ内部空間（１１０）の内法（Ｄ）よりも小さいことを特徴とする請求項１に記載のフィルタカートリッジ。
【請求項３】
フィルタカートリッジ（１０４）の長手方向（１０６）に対して横方向における、逆洗浄流堰き止め体（１２０）の広がりが、フィルタカートリッジ内部空間（１１０）の内法（Ｄ）の、少なくとも約８０％、好ましくは少なくとも約９０％であることを特徴とする請求項１または２のいずれか１項に記載のフィルタカートリッジ。
【請求項４】
逆洗浄流堰き止め体（１２０）と、フィルタカートリッジ内部空間（１１０）の画成壁との間の間隙の幅が、最大で約３ｍｍ、好ましくは最大で約２ｍｍであることを特徴とする請求項１から３のいずれか１項に記載のフィルタカートリッジ。
【請求項５】
逆洗浄流堰き止め体（１２０）が、実質的に球状に形成されていることを特徴とする請求項１から４のいずれか１項に記載のフィルタカートリッジ。
【請求項６】
逆洗浄流堰き止め体（１２０）が、実質的に円筒状に形成されていることを特徴とする請求項１から４のいずれか１項に記載のフィルタカートリッジ。
【請求項７】
逆洗浄流堰き止め体（１２０）が、突出部のない表面を有していることを特徴とする請求項１から６のいずれか１項に記載のフィルタカートリッジ。
【請求項８】
逆洗浄流堰き止め体（１２０）が、フィルタカートリッジ（１０４）の逆洗浄の際に、フィルタカートリッジ内部空間（１１０）の画成壁に添接しないことを特徴とする請求項１から７のいずれか１項に記載のフィルタカートリッジ。
【請求項９】
逆洗浄流堰き止め体（１２０）が、濾過された流体よりも小さい平均の密度を有していることを特徴とする請求項１から８のいずれか１項に記載のフィルタカートリッジ。
【請求項１０】
逆洗浄流堰き止め体（１２０）が、中空体として形成されていることを特徴とする請求項１から９のいずれか１項に記載のフィルタカートリッジ。
【請求項１１】
逆洗浄流堰き止め体（１２０）が、濾過された流体よりも小さい密度を有する材料を有していることを特徴とする請求項１から１０のいずれか１項に記載のフィルタカートリッジ。
【請求項１２】
フィルタカートリッジ（１０４）が、実質的に円筒状に形成されていることを特徴とする請求項１から１１のいずれか１項に記載のフィルタカートリッジ。
【請求項１３】
フィルタカートリッジ（１０４）が、逆洗浄流堰き止め体（１２０）のためのストッパ（１３２）を有しており、逆洗浄流堰き止め体（１２０）がフィルタカートリッジ（１０４）の濾過相の間、前記ストッパに添接することを特徴とする請求項１から１２のいずれか１項に記載のフィルタカートリッジ。
【請求項１４】
フィルタカートリッジ（１０４）が、逆洗浄流堰き止め体（１２０）のための逆洗浄流堰き止め体収容部（１１８）を有しており、フィルタカートリッジ（１０４）の濾過相の間、逆洗浄流堰き止め体（１２０）が前記逆洗浄流堰き止め体収容部内に収容されており、その場合に逆洗浄流堰き止め体収容部（１１８）が、濾過された流体を逆洗浄流堰き止め体（１２０）を通過して案内するための、少なくとも１つの流体通路（１２８）を有していることを特徴とする請求項１から１３のいずれか１項に記載のフィルタカートリッジ。
【請求項１５】
逆洗浄流堰き止め体収容部（１１８）が、逆洗浄流堰き止め体収容部（１１８）の内部空間内へ向いた、少なくとも１つの突出部（１２６）を有していることを特徴とする請求項１４に記載のフィルタカートリッジ。
【請求項１６】
フィルタカートリッジ（１０４）が、支持体（１０８）を有しており、前記支持体がフィルタ媒体（１１４）を支持することを特徴とする請求項１から１５のいずれか１項に記載のフィルタカートリッジ。
【請求項１７】
フィルタ媒体（１１４）が、支持体（１０８）の、フィルタカートリッジ内部空間（１１０）とは逆の外側に配置されていることを特徴とする請求項１６に記載のフィルタカートリッジ。
【請求項１８】
フィルタカートリッジ（１０４）が、濾過相において外側から内側へ向かって貫流可能であることを特徴とする請求項１から１７のいずれか１項に記載のフィルタカートリッジ。
【発明の詳細な説明】
【技術分野】
【０００１】
本発明は、フィルタ媒体によって包囲されるフィルタカートリッジ内部空間を有する、流体を濾過するための、逆洗浄フィルタ用のフィルタカートリッジに関する。
【背景技術】
【０００２】
この種のフィルタカートリッジは、特許文献１から知られている。
【０００３】
この既知のフィルタカートリッジにおいては、フィルタカートリッジ内部空間内に清掃体が配置されており、その外側面に細かい剛毛、ブラシ、フレキシブルな舌片またはフレキシブルなスクレーパが設けられており、その長さは、清掃体の全直径が、フィルタカートリッジ内部空間の内法よりも大きくなるように、選択されている。フィルタ媒体は、フィルタカートリッジの内側に配置されており、フィルタカートリッジの逆洗浄相の間、清掃体に配置されている剛毛、ブラシ、フレキシブルな舌片またはフレキシブルなスクレーパによって機械的に清掃される。
【０００４】
その場合の欠点は、清掃体の機械的な清掃作用がフィルタ面を均一に捕捉しないこと、およびフィルタ媒体が清掃体との機械的な接触によって消耗することである。
【先行技術文献】
【特許文献】
【０００５】
【特許文献１】独国特許出願公開明細書ＤＥ１０２４４６６０Ａ１
【発明の概要】
【発明が解決しようとする課題】
【０００６】
本発明の課題は、そのフィルタ媒体が逆洗浄相において、特に有効かつ均一に清掃可能な、冒頭で挙げた種類のフィルタカートリッジを提供することである。
【課題を解決するための手段】
【０００７】
この課題は、請求項１に記載のフィルタカートリッジによって解決される。
【発明の効果】
【０００８】
本発明に基づくフィルタカートリッジは、フィルタカートリッジ内部空間内に配置された逆洗浄流堰き止め体を有し、その逆洗浄流堰き止め体が、フィルタカートリッジの逆洗浄の際に、逆洗浄流によってフィルタカートリッジの長手方向に移動可能であり、かつ逆洗浄流の動圧の局所的上昇を発生させる。逆洗浄流堰き止め体のすぐ近傍における動圧上昇に基づいて、フィルタ媒体はその、逆洗浄流堰き止め体のそれぞれの位置に直接隣接する領域において、特に集中的に逆洗浄流によって貫流されるので、それぞれ、逆洗浄流堰き止め体がある領域において、フィルタ媒体から汚れが特に効果的に清掃される。
【０００９】
その場合に、逆洗浄流堰き止め体は、フィルタカートリッジの逆洗浄の際に、清掃すべきフィルタ媒体に添接しないので、逆洗浄流堰き止め体とフィルタ媒体との間に機械的な接触が存在せず、それによってフィルタ媒体が逆洗浄流堰き止め体との接触により損耗しないことが、保証される。さらに、逆洗浄プロセスの間、フィルタカートリッジの長手方向における逆洗浄流堰き止め体の移動が、フィルタ媒体における摩擦または付着によって制動されることがない。さらに、逆洗浄流堰き止め体は、フィルタ媒体から剥がれた粒子によって汚されない。
【００１０】
好ましくは、フィルタカートリッジの逆洗浄の間、逆洗浄流堰き止め体はフィルタカートリッジの長手方向の延び全体にわたって移動するので、フィルタ媒体の各箇所において、該当する箇所を逆洗浄流堰き止め体が通過する場合に、増大された逆洗浄圧が提供される。
【００１１】
それによって、フィルタ媒体が、貫流抵抗が低いところにおいてだけ集中的に逆洗浄流によって貫流されることが、回避される。従って、本発明に基づくフィルタカートリッジにおいては、特にフィルタ媒体の出口近傍の領域内で、逆洗浄相の間の清掃効果が、著しく強化される。
【００１２】
本発明に基づくフィルタカートリッジにおいては、フィルタ媒体と接触する洗浄体によるフィルタ媒体の機械的浄化が行われることなしに、流体的な逆洗浄効果が強化される。従って、フィルタ媒体の浄化は、本発明に基づくフィルタカートリッジにおいては、特に有効、均一かつていねいに行われる。
【００１３】
逆洗浄する場合にフィルタ媒体の逆洗浄が改良され、かつその機械的損耗がないことによって、フィルタカートリッジの寿命が著しく延長される。
【００１４】
本発明の好ましい形態において、フィルタカートリッジの長手方向に対して横方向における、逆洗浄流堰き止め体の広がりは、フィルタカートリッジの長手方向に対して横方向におけるフィルタカートリッジ内部空間の内法よりも小さい。それによって、逆洗浄流堰き止め体は、実質的にじゃまされずにフィルタカートリッジ内部空間を通って移動することができる。
【００１５】
他方で、逆洗浄流動圧の十分な上昇を得るためには、逆洗浄流堰き止め体の広がりが、フィルタカートリッジ内部空間の内法に対して小さすぎてはならない。従って好ましくは、フィルタカートリッジの長手方向に対して横方向における、逆洗浄流堰き止め体の広がりは、フィルタカートリッジ内部空間の内法の、少なくとも約８０％、好ましくは少なくとも約９０％である。
【００１６】
逆洗浄流堰き止め体とフィルタカートリッジ内部空間の画成壁との間の間隙の幅が、最大で約３ｍｍ、好ましくは最大で約２ｍｍであると、特に効果的であることが明らかにされている。
【００１７】
原則的に、逆洗浄流堰き止め体は、任意の形状を有することができる。
【００１８】
特に、実質的に円筒状のフィルタカートリッジが使用される場合に、逆洗浄流堰き止め体が実質的に球状または実質的に円筒状に形成されていると、効果的である。というのは、この形状は、フィルタカートリッジ内部空間の横断面に特に良好に適合しているからである。
【００１９】
フィルタカートリッジ内部空間を通る逆洗浄流堰き止め体の移動を阻止しないために、逆洗浄流堰き止め体が、突出部のない、特に剛毛、ブラシ、フレキシブルな舌片、フレキシブルなスクレーパあるは他の突出部のない、表面を有していると、効果的である。
【００２０】
フィルタカートリッジ内部空間を通る逆洗浄流堰き止め体の、特に摩擦のない移動は、フィルタカートリッジの逆洗浄の際に、逆洗浄流堰き止め体が、フィルタカートリッジ内部空間の画成壁に添接しない場合に、得られる。
【００２１】
本発明の好ましい形態において、逆洗浄フィルタの濾過相の間、逆洗浄流堰き止め体は、フィルタカートリッジの上方の端部に配置されており、その後、逆洗浄相の間、この上方の端部からフィルタカートリッジの長手方向に下方へ向かって移動される。
【００２２】
逆洗浄相の終了後に、逆洗浄流堰き止め体が、フィルタカートリッジの上方の端部の初期位置へ自動的に戻るようにするために、逆洗浄流堰き止め体は、濾過された流体よりも小さい平均の密度を有することができる。このようにして濾過された流体の内部で、逆洗浄流堰き止め体に作用する浮力は、逆洗浄流堰き止め体に作用する重力よりも大きくなる。
【００２３】
このようにするために、逆洗浄流堰き止め体は、たとえば中空体として形成することができる。
【００２４】
その代りに、あるいはそれに加えて、逆洗浄流堰き止め体が、濾過された流体より密度の小さい材料を有することもできる。
【００２５】
特に、逆洗浄流堰き止め体は、完全に、濾過された流体よりも小さい密度を有する材料からなることができる。
【００２６】
本発明の好ましい形態において、フィルタカートリッジは、実質的に円筒状に形成されている。
【００２７】
さらに、フィルタカートリッジが、逆洗浄流堰き止め体のためのストッパを有しており、フィルタカートリッジの濾過相の間、逆洗浄流堰き止め体がそのストッパに添接すると、効果的である。このようにして、フィルタカートリッジの濾過相の間、逆洗浄流堰き止め体の位置が、適切に定められる。
【００２８】
本発明の好ましい形態において、フィルタカートリッジは、逆洗浄流堰き止め体のための逆洗浄流堰き止め体収容部を有しており、フィルタカートリッジの濾過相の間、逆洗浄流堰き止め体がその中に収容されており、その場合に逆洗浄流堰き止め体収容部は、濾過された流体を逆洗浄流堰き止め体を通過して案内するための、少なくとも１つの流体通路を有している。このようにして、濾過相の間、濾過された流体は、逆洗浄流堰き止め体を妨げられずに通過して流れることができるので、逆洗浄流堰き止め体の存在によってフィルタカートリッジの流れ抵抗は、増大されない。
【００２９】
逆洗浄流堰き止め体収容部の内部で逆洗浄流堰き止め体の位置を径方向に固定するために、逆洗浄流堰き止め体収容部は、逆洗浄流堰き止め体収容部の内部空間へ向いた、少なくとも１つの突出部を有することができる。
【００３０】
機械的安定性を高めるために、フィルタカートリッジは、好ましくは支持体を有し、その支持体がフィルタ媒体を支持する。
【００３１】
本発明の好ましい形態において、フィルタ媒体は、支持体の、フィルタカートリッジ内部空間とは逆の外側に配置されている。それによって、簡単な方法で、フィルタカートリッジの逆洗浄の際に、逆洗浄流堰き止め体がフィルタ媒体に添接することが、防止される。
【００３２】
さらに、好ましくは、フィルタカートリッジは、濾過相において外側から内側へ向かって貫流可能である。
【００３３】
本発明の他の特徴と利点が、実施例の以下の説明と図面表示の対象である。
【図面の簡単な説明】
【００３４】
【図１】逆洗浄流堰き止め体を有するフィルタカートリッジを垂直の縦断面で図式的に示しており、その場合にフィルタカートリッジは濾過相にある。
【図２】図１に基づくフィルタカートリッジの逆洗浄流堰き止め体を、図１の２−２線に沿って水平の横断面で図式的に示している。
【図３】図１に基づくフィルタカートリッジを、逆洗浄相の間において垂直の縦断面で図式的に示している。
【図４】図３に基づくフィルタカートリッジを、逆洗浄相の間において、図３の４−４線に沿って水平の横断面で図式的に示している。
【発明を実施するための形態】
【００３５】
同一または機能的に等価の部材は、すべての図において同一の参照符号で示されている。
【００３６】
図１から４に、全体を符号１０で示す逆洗浄フィルタは、ホルダ１０２内に保持された、実質的に垂直に方向づけされた長手中心軸１０６を備えた、少なくとも１つの実質的に円筒状のフィルタカートリッジ１０４を有している。
【００３７】
フィルタカートリッジ１０４は、円筒状の支持体１０８を有しており、その支持体が、実質的に円筒状のフィルタカートリッジ内部空間１１０を包囲しており、かつフィルタカートリッジ内部空間１１０内へ突出し、フィルタカートリッジ１０４の長手中心軸１０６に対して平行に延び、かつフィルタカートリッジ１０４の周方向に実質的に互いに等間隔で配置された補強ステイ１１２を有している。
【００３８】
互いに直径方向に対向する２つの補強ステイ１１２の径方向内側に位置する端部の相互の間隔Ｄが、フィルタカートリッジ内部空間１１０の内法を定める。
【００３９】
支持体１０８は、補強ステイ１１２を含めて、たとえば特殊鋼から形成することができる。
【００４０】
支持体１０８の外側は、円筒状のフィルタ媒体１１４によって包囲されており、そのフィルタ媒体は、たとえばふるい織物または間隙ふるいとして形成することができ、支持体１０８の外側に支持されている。
【００４１】
フィルタ媒体１１４は、特に、特殊鋼織物から、あるいはプラスチック織物から形成することができる。
【００４２】
フィルタ媒体１１４が、ふるい織物として形成されている場合には、ふるい織物の平均的なメッシュ幅は、好ましくは約２０μｍから約１００μｍである。
【００４３】
フィルタ媒体１１４が、間隙ふるいとして形成されている場合には、平均的な間隙幅は、好ましくは約２０μｍから約１００μｍである。
【００４４】
支持体１０８とフィルタ媒体１１４の下方の端部は、閉鎖キャップ１１６によって閉鎖されている。
【００４５】
フィルタカートリッジ１０４の上方の開放した端部には、逆洗浄流堰き止め体収容部１１８が配置されており、それが、フィルタカートリッジ１０４の濾過相の間、図１と２に示すように、たとえば球状の逆洗浄流堰き止め体１２０を収容する。
【００４６】
逆洗浄流堰き止め体収容部１１８は、支持体１０８に対して同軸に形成されて配置されたハウジング１２２を有しており、そのハウジングの内側１２４から複数の、たとえば４本のステイ１２６が、その径方向内側に位置する端部の間において逆洗浄流堰き止め体１２０をセンタリングするために、逆洗浄流堰き止め体収容部１１８の内部空間内へ径方向に突出し、そのステイは、フィルタカートリッジ１０４の長手中心軸１０６に対して平行に延び、かつフィルタカートリッジ１０４の周方向に互いに実質的に等間隔で配置されている。
【００４７】
フィルタカートリッジ１０４の周方向に連続するそれぞれ２つのステイ１２６の間に、それぞれ流体通路１２８が形成されており、その流体通路を通って、濾過相において濾過された流体が、逆洗浄流堰き止め体１２０を通過して流れることができる。
【００４８】
逆洗浄流堰き止め体収容部１１８のハウジング１２２の上方の端部は、フィルタカートリッジ１０４のホルダ１０２に固定されており、かつ流出開口部１２９を有しており、その流出開口部を通して濾過された流体がフィルタカートリッジ内部空間１１０から濾液室１３０内へ達することができる。
【００４９】
逆洗浄流堰き止め体１２０は、濾過された流体よりも小さい平均の密度を有しているので、逆洗浄流堰き止め体１２０へ作用する浮力は、逆洗浄流堰き止め体１２０に作用する重力よりも大きく、従って逆洗浄流堰き止め体１２０は、図１と２に示すフィルタカートリッジ１０４の濾過相においては、フィルタカートリッジ１０４の上方の端部に配置されている逆洗浄流堰き止め体収容部１１８内に位置している。
【００５０】
フィルタカートリッジ１０４の流出開口部１２９を逆洗浄流堰き止め体１２０が通り抜けることは、ストッパ１３２によって防止され、そのストッパは、逆洗浄流堰き止め体収容部１１８の上方の領域を通って横方向に延びており、かつその下方の端部に、濾過相の間逆洗浄流堰き止め体１２０が当接する。
【００５１】
逆洗浄流堰き止め体１２０は、プラスチック材料から、あるいは金属材料から、特に特殊鋼から、たとえば中空体として、特に中空の球として、形成することができる。
【００５２】
その代わりに、逆洗浄流堰き止め体１２０を、濾過された流体よりも小さい密度を有する材料から、中実に形成することもできる。
【００５３】
逆洗浄流堰き止め体１２０は、滑らかな表面を有しており、その表面には剛毛、ブラシ、フレキシブルな舌片、フレキシブルなスクレーパまたは他の突出部は、何ら設けられていない。
【００５４】
上述した逆洗浄フィルタ１００は、以下のように機能する：
【００５５】
図１と２に示す濾過相の間、固体の汚れを伴う、濾過すべき流体、たとえば濾過すべき液体が、フィルタカートリッジ１０４を包囲する汚染室１３３から、フィルタ媒体１１４および支持体１０８の補強ステイ１１２間の通過開口部を通ってフィルタカートリッジ内部空間１１０内へ流入し、その場合に濾過すべき汚れが、フィルタ媒体１１４の外側および／またはフィルタ媒体１１４の内部に堆積する。
【００５６】
濾過相の間の流体の流れ方向が、図１に矢印１３４で記載されている。
【００５７】
フィルタカートリッジ内部空間１１０から、濾過された流体が、逆洗浄流堰き止め体収容部１１８の流体通路１２８を通って、逆洗浄流堰き止め体１２０を通過し、流出開口部１２９を通って濾液室１３０内へ達する。
【００５８】
フィルタ媒体１１４が所定の汚染度に達した場合、あるいはまた予め定められた濾過時間の経過後に、逆洗浄フィルタ１１０が、濾過相から図３と４に示す逆洗浄相へ切り替えられ、その逆洗浄相において（図示されない）逆洗浄機構を用いて、濾過された流体が濾液室１３０からフィルタカートリッジ内部空間１１０内へ、たとえば約３バールから約５バールの高められた逆洗浄圧力の下で逆に注がれ、それによって、逆洗浄流が支持体１０８とフィルタ媒体１１４を通過した後に、フィルタ媒体１１４に、あるいはその中に堆積した汚れが、フィルタ媒体１１４から剥がされる。
【００５９】
この流体的な逆洗浄効果は、フィルタカートリッジ内部空間１１０内に配置されている逆洗浄流堰き止め体１２０によって、著しく強化される。
【００６０】
その上側に逆洗浄流の増大された逆洗浄圧力が供給される、逆洗浄流堰き止め体１２０は、図３に示すように、逆洗浄圧力によってフィルタカートリッジ１０４の長手中心軸１０６に沿って下方へ移動される。
【００６１】
その場合に、逆洗浄流堰き止め体１２０は、支持体１０８の内側の画成壁と支持体１０８の補強ステイ１１２には接触せず、あるいは短時間だけしか接触しない。というのは、逆洗浄流堰き止め体１２０の直径ｄは、フィルタカートリッジ内部空間１１０の内法Ｄよりも小さいので、逆洗浄流堰き止め体直径ｄが、たとえば約２０ｍｍである場合に、逆洗浄流堰き止め体１２０の表面と補強ステイ１１２の径方向内側の端部との間に、約３ｍｍまでの間隙が生じる。
【００６２】
逆洗浄流堰き止め体１２０と支持体１０８との間に残る間隙によって、逆洗浄流堰き止め体１２０は実質的に摩擦なしで、フィルタカートリッジ内部空間１１０を通って下方へ押し下げられる。
【００６３】
しかし、逆洗浄流堰き止め体１２０と支持体１０８の間に残る間隙は、比較的小さいので、フィルタカートリッジ内部空間１１０の、逆洗浄流の流れ方向において逆洗浄流堰き止め体１２０のすぐ前に位置する領域内において、逆洗浄流内に増大された動圧が生じる。
【００６４】
同時に、フィルタカートリッジ内部空間１１０の、逆洗浄流の流れ方向において逆洗浄流堰き止め体１２０のすぐ後ろに位置する領域１３８内においては、逆洗浄流堰き止め体１２０によって排除すべき流体の慣性に基づいて、同様に増大された動圧が生じる。
【００６５】
逆洗浄流堰き止め体１２０のすぐ近傍における領域１３６と１３８内の動圧上昇に基づいて、フィルタ媒体１１４は、逆洗浄流堰き止め体１２０のそれぞれの位置に直接隣接する領域内で、特に集中的に逆洗浄流によって貫流されるので、それぞれ、逆洗浄流堰き止め体１２０が位置する領域内で、汚れが特に効果的にフィルタ媒体１１４から清掃される。
【００６６】
逆洗浄流の流れ方向が、図３と４において矢印１４０で記載されている。
【００６７】
逆洗浄相は、逆洗浄流堰き止め体１２０が逆洗浄流堰き止め体収容部１１８からフィルタカートリッジ１０４の下方の端部まで移動するまでの間、実施されるので、逆洗浄流堰き止め体１２０の存在によって形成される、集中的な洗浄の領域が、フィルタ媒体１１４の全面を撫でるので、フィルタ媒体１１４の全面が、特に集中的に洗浄されて、浄化される。
【００６８】
逆洗浄相の間のフィルタ媒体１１４のこの集中的な洗浄に基づいて、フィルタカートリッジ１０４は、特に長い寿命を有している。
【００６９】
さらに、逆洗浄流堰き止め体１２０が、実質的に一定の速度でフィルタカートリッジ内部空間１１０を通って下方へ移動されることにより、フィルタ媒体１１４の全面が極めて均一に洗浄されて、浄化されるので、フィルタ媒体１１４の、不十分にしか清掃されず、それによって全体としてフィルタカートリッジ１０４の寿命を短縮する領域は、存在しない。
【００７０】
逆洗浄流堰き止め体１２０は、逆洗浄相の間フィルタ媒体１１４と接触しないので、逆洗浄相におけるフィルタ媒体１１４の浄化は、強化された流体的な逆洗浄効果のみによって行われ、逆洗浄流堰き止め体１２０による機械的な清掃は行われない。
【００７１】
逆洗浄相の間逆洗浄が終了した後に、逆洗浄流堰き止め体１２０はフィルタカートリッジ内部空間１１０の下方の端部から、再び自動的に上方へ向かって逆洗浄流堰き止め体収容部１１８内へ上昇する。というのは、逆洗浄流堰き止め体１２０へ作用する浮力が、逆洗浄流堰き止め体１２０へ作用する重力を凌駕するからである。
【００７２】
逆洗浄フィルタ１００の駆動が、次に他の濾過相をもって続行される。
【図１】
2010501323.tif 000003
【図２】
2010501323.tif 000004
【図３】
2010501323.tif 000005
【図４】
2010501323.tif 000006
【国際調査報告】
2010501323.tif 000007
2010501323.tif 000008
2010501323.tif 000009
2010501323.tif 000010
2010501323.tif 000011
2010501323.tif 000012